(57)【要約】【課題】外側梱包部材の開閉蓋を開けた際に、内側梱包部材を外側梱包部材から滑り落ちにくくする梱包部材を提供すること。【解決手段】内側梱包部材４０は、右端部４１及び左端部４２から、長手方向外側にそれぞれ突き出した突き出し部を有する。正面板１１は、突き出し部である突き出し板２０ａ及び２１ａと一体化し、背面板１２は、突き出し部である突き出し板２０ｂ及び２１ｂと一体化している。正面板１１及び背面板１２は、右端部４１及び左端部４２の貫通孔を貫通する。突き出し板には、それぞれ切欠きが設けられる。内側梱包部材４０が外側梱包部材３０に収納される際、突き出し板の切欠きと、外側梱包部材の内壁に設けられた切欠きとが嵌合するため、内側梱包部材４０は、外側梱包部材３０に対して固定される。【選択図】図５
2008105723.tif 000002
【特許請求の範囲】
【請求項１】
外形が直方体状の部材であり、前記直方体状の部材の外周面の内、上面が開閉する開閉蓋であるとともに、前記直方体状の部材の左右の両端面の少なくとも一方の面が外側から順に外壁部と、切欠きを有する内壁部とで構成された外側梱包部材と、
前記外側梱包部材に収納され、上面が開放された、内部に収納スペースを有する箱状の部材であり、前記箱状の部材の両端面の少なくとも一方の面から前記外側梱包部材の前記内壁部側に突き出した第１の突き出し部を有する内側梱包部材とを備え、
前記一方の面の前記内壁部の前記切欠きと、前記第１の突き出し部とが嵌合している、梱包部材。
【請求項２】
前記第１の突き出し部には、一部に切欠きが設けられており、
前記一方の面の前記内壁部と、前記第１の突き出し部の前記切欠きとが嵌合している、請求項１に記載の梱包部材。
【請求項３】
前記内側梱包部材は、前記両端面の他方の面から前記外側梱包部材の前記内壁部側に突き出した第２の突き出し部を有し、
前記外側梱包部材の前記両端面の他方の面が、外側から順に外壁部と、切欠きを有する内壁部を有し、
前記他方の面の前記内壁部の前記切欠きと、前記第２の突き出し部とが嵌合している、請求項１または２に記載の梱包部材。
【請求項４】
前記第２の突き出し部には、一部に切欠きが設けられており、
前記他方の面の前記内壁部と、前記第２の突き出し部の前記切欠きとが嵌合している、請求項３に記載の梱包部材。
【請求項５】
前記内側梱包部材が前記外側梱包部材に収納されている状態において、前記突き出し部の先端が、前記外側梱包部材の前記外壁部の内面側に当接している、請求項１から４のいずれかに記載の梱包部材。
【請求項６】
前記内壁部に設けられた前記切欠きは、二つであり、
前記内側梱包部材の長手方向の側面を形成する正面板と背面板とが、それぞれ前記突き出し部と一体化して形成された、請求項１に記載の梱包部材。
【発明の詳細な説明】
【技術分野】
【０００１】
本発明は、部品や完成品などの被梱包物を梱包する梱包部材に関するものである。
【背景技術】
【０００２】
従来、部品や完成品などの被梱包物は、ダンボール箱などに梱包されて運搬などが行われる。このとき、被梱包物は、外部からの衝撃に対する被梱包物の保護や、外側梱包部材に対する被梱包物の固定を目的とした内側梱包部材に収納された状態で、段ボール箱などの外側梱包部材に梱包される。
【０００３】
図１６は、例えば、特許文献１が開示する、従来の内側梱包部材の斜視図である（特許文献１、図３参照）。図１６に示す内側梱包部材８０は、細長い箱状の形状である。内側梱包部材８０は、端面板８１と、上面と下面を形成する対向壁板８２と、脚片板８３と、外側端面板８４とを有する。被梱包物は、端面板８１と、対向壁板８２と、脚片板８３とによって形成される空間の中に収納される。
【０００４】
図１７は、内側梱包部材８０を収納する、従来の外側梱包部材の一例を示す斜視図である。図１７に示す外側梱包部材９０において、上面板９１及び側面板９２は、一体となって開閉蓋を構成する。端部９３及び９４は、それぞれ二重構造となっている。図１７の右上部分の端部９３は、外壁９３ａと内壁９３ｂとで構成され、図１７の左下部分の端部９４は、外壁９４ａと内壁９４ｂとで構成される。また、外側梱包部材９０において、内側梱包部材８０を収納する空間は、側面板９２及び９５と、底面板９６と、内壁９３ｂ及び９４ｂとによって形成される空間である。
【０００５】
次に、外側梱包部材９０に内側梱包部材８０を収納した状態について説明する。内側梱包部材８０を外側梱包部材９０に収納する方向は、図１６に示す矢印Ｐの方向であり、矢印Ｐの方向は、図１７の上から下の方向に対応する。すなわち、内側梱包部材８０が外側梱包部材９０に収納された状態は、内側梱包部材８０の外側端面板８４と外側梱包部材の底面板９６とが接している状態となる。
【０００６】
内側梱包部材８０が外側梱包部材９０に収納された状態において、底面板９６と端面板８１との間、側面板９２及び９５と対向壁板８２との間、内壁９３ｂ及び９４ｂと脚片板８３との間にそれぞれ空間が形成される。これらの空間によって、外側梱包部材９０の外部から衝撃が加わったとしても、内側梱包部材８０に収納された被梱包物を衝撃から保護する。また、外側梱包部材９０において、外壁９３ａと内壁９３ｂとの間に形成される空間、及び外壁９４ａと内壁９４ｂとの間に形成される空間も、外部から加わる衝撃から被梱包物を保護する。
【特許文献１】特開平８−２４４８５２号公報
【発明の開示】
【発明が解決しようとする課題】
【０００７】
しかしながら、内側梱包部材８０が外側梱包部材９０に収納された状態において、内側梱包部材８０は外側梱包部材９０に対して固定されていない。このため、外側梱包部材９０の開閉蓋を開けると、側面板９２が内側梱包部材８０を支えない状態となる。したがって、外側梱包部材９０の開閉蓋を開けた際に、その向きによっては、被梱包物が、被梱包物自身の重さのために内側梱包部材８０ごと外側梱包部材９０から滑り落ちることがある。この結果、内側梱包部材８０に直接衝撃が加わり、被梱包物を破損するという問題があった。
【０００８】
本発明は、上記従来の課題を考慮して、外側梱包部材の開閉蓋を開けた際に、外側梱包部材から内側梱包部材が滑り落ちにくい、梱包部材を提供することを目的とする。
【課題を解決するための手段】
【０００９】
上記の課題を解決するために、第１の本発明は、
外形が直方体状の部材であり、前記直方体状の部材の外周面の内、上面が開閉する開閉蓋であるとともに、前記直方体状の部材の左右の両端面の少なくとも一方の面が外側から順に外壁部と、切欠きを有する内壁部とで構成された外側梱包部材と、
前記外側梱包部材に収納され、上面が開放された、内部に収納スペースを有する箱状の部材であり、前記箱状の部材の両端面の少なくとも一方の面から前記外側梱包部材の前記内壁部側に突き出した第１の突き出し部を有する内側梱包部材とを備え、
前記一方の面の前記内壁部の前記切欠きと、前記第１の突き出し部とが嵌合している、梱包部材である。
【００１０】
また、第２の本発明は、
前記第１の突き出し部には、一部に切欠きが設けられており、
前記一方の面の前記内壁部と、前記第１の突き出し部の前記切欠きとが嵌合している、第１の本発明の梱包部材である。
【００１１】
また、第３の本発明は、
前記内側梱包部材は、前記両端面の他方の面から前記外側梱包部材の前記内壁部側に突き出した第２の突き出し部を有し、
前記外側梱包部材の前記両端面の他方の面が、外側から順に外壁部と、切欠きを有する内壁部を有し、
前記他方の面の前記内壁部の前記切欠きと、前記第２の突き出し部とが嵌合している、第１または第２の本発明の梱包部材である。
【００１２】
また、第４の本発明は、
前記第２の突き出し部には、一部に切欠きが設けられており、
前記他方の面の前記内壁部と、前記第２の突き出し部の前記切欠きとが嵌合している、第３の本発明の梱包部材である。
【００１３】
また、第５の本発明は、
前記内側梱包部材が前記外側梱包部材に収納されている状態において、前記突き出し部の先端が、前記外側梱包部材の前記外壁部の内面側に当接している、第１から第４のいずれかの本発明の梱包部材である。
【００１４】
また、第６の本発明は、
前記内壁部に設けられた前記切欠きは、二つであり、
前記内側梱包部材の長手方向の側面を形成する正面板と背面板とが、それぞれ前記突き出し部と一体化して形成された、第１の本発明の梱包部材である。
【発明の効果】
【００１５】
本発明によれば、外側梱包部材の開閉蓋を開けた際に、外側梱包部材から内側梱包部材が滑り落ちにくい、梱包部材を提供することができる。
【発明を実施するための最良の形態】
【００１６】
以下、本発明の一実施の形態について、図面を参照しながら説明する。また、以下の実施の形態の説明において、背景技術に記載された梱包部材と同じ構成要素には同じ参照符号を付し、その説明を省略する。
【００１７】
（実施の形態１）
本発明の実施の形態１に係る梱包部材は、内側梱包部材と外側梱包部材によって構成される。まず、内側梱包部材について説明する。
【００１８】
図１は、本発明の実施の形態１に係る梱包部材の内側梱包部材の斜視図である。図１に示す内側梱包部材１０は、上面が開放された細長い箱状の形状であり、長手方向の側面を形成する正面板１１及び背面板１２と、底面を形成する底面板１３と、図１の右上部分の端部を形成する右端部１４と、図１の左下部分の端部を形成する左端部１５と、右端部１４から長手方向の外側に突き出した一対の突き出し部２０と、左端部１５から長手方向の外側に突き出した一対の突き出し部２１とを有する。
【００１９】
図１の右上部分に示す右端部１４は、図１の矢印Ｂ方向から見ると、図１の下方向が開口したコの字形の形状であり、長手方向の外側に位置する外側板状体１６と、内側に位置する内側板状体１７と、折り曲げ部２５（図２参照）とを有する。一方、左端部１５は、右端部１４と同様に、外側板状体１８と、内側板状体１９と、折り曲げ部２６（図示省略）とを有する。なお、折り曲げ部２５及び２６については、後述する。
【００２０】
正面板１１及び背面板１２は、それぞれ外側板状体１６と外側板状体１８との間に配置されている。正面板１１と背面板１２との間隔Ｗは、一定となっている。
【００２１】
次に、内側板状体１７及び１９の形状について説明する。
【００２２】
内側板状体１７は、正面板１１と背面板１２との間隔Ｗより大きい幅を有している。図１に示すように、内側板状体１７は、折り曲げ部２５が内側に折り曲げられていることにより、間隔Ｗの寸法に合わせた開口部１７ａが形成されている。一方、内側板状体１９についても、内側板状体１７と同様に、開口部１９ａが形成されている。
【００２３】
次に、突き出し部２０及び２１の形状について説明する。
【００２４】
図１の右上部分に示すように、突き出し部２０は、外側板状体１６の手前側及び奥側から長手方向の外側にそれぞれ突き出した、突き出し板２０ａ及び２０ｂを有する。突き出し板２０ａ及び２０ｂは、外側板状体１６の一部を切り起こして形成されており、外側板状体１６との接続部分に切欠き２２がそれぞれ設けられた鍵形の形状である。一方、図１の左下部分に示す突き出し部２１についても、同様に、突き出し板２１ａ及び２１ｂが、図１の左下部分の手前側及び奥側に、外側板状体１８の一部を切り起こして形成されている。なお、突き出し板２０ａ、２０ｂ、２１ａ及び２１ｂは、同一の形状である。
【００２５】
次に、折り曲げ部２５及び２６について、図２を用いて説明する。
【００２６】
図２は、長手方向に沿って底面板１３に垂直な平面である、Ａ−Ａ面で内側梱包部材１０を切断した断面における、右端部１４の拡大断面図である。なお、図２では、突き出し板２０ｂを省略して図示している。
【００２７】
図２に示す右端部１４において、外側板状体１６と内側板状体１７との間には、内側板状体１７の一部が右端部１４の内側に折り曲げられて略Ｌ字形状をなす折り曲げ部２５が形成されている。折り曲げ部２５の先端２５ａは、右端部１４の上面板２７のスリット２８に挿入されている。なお、図示は省略しているが、左端部１５についても同様に、折り曲げ部２６が形成されている。
【００２８】
折り曲げ部２５及び２６が、正面板１１及び背面板１２の間に位置するため、正面板１１及び背面板１２の幅方向の内側への移動を規制している。また、内側板状体１７の内側縁部１７ｃ及び内側板状体１９の内側縁部１９ｃは、正面板１１及び背面板１２の外側の面と当接するため、正面板１１及び背面板１２の幅方向の外側への移動を規制している。このようにして、内側板状体１７（１９）及び折り曲げ部２５（２６）は、共同することによって、正面板１１及び背面板１２との間隔Ｗは、一定に維持する。
【００２９】
次に、本実施の形態に係る梱包部材の外側梱包部材について、図３を用いて説明する。
【００３０】
図３は、本実施の形態に係る梱包部材の外側梱包部材の斜視図である。図３に示す外側梱包部材３０は、図１７に示す外側梱包部材９０とほぼ同じ構造であるが、内壁９３ｂ及び９４ｂにそれぞれ切欠きが二つずつ設けられている点が異なる。内壁９３ｂには、図３の右上部分の手前側及び奥側に、切欠き３１ａ及び３１ｂがそれぞれ設けられている。また、内壁９４ｂには、図３の左下部分の手前側及び奥側に、切欠き３２ａ及び３２ｂがそれぞれ設けられている。
【００３１】
なお、内側梱包部材１０が、本発明の内側梱包部材の一例であり、外側板状体１６及び１８が、本発明の内側梱包部材の両端面の一例であり、突き出し部２０及び２１が本発明の突き出し部の一例である。また、外側梱包部材３０が本発明の外側梱包部材の一例であり、外壁９３ａ及び９４ａが本発明の外壁部の一例であり、内壁９４ｂ及び９４ｂが本発明の内壁部の一例である。
【００３２】
以下に、本実施の形態に係る梱包部材による、被梱包物の梱包について説明する。
【００３３】
図１に示す内側梱包部材１０において、被梱包物（図示省略）を収納する空間は、正面板１１と、背面板１２と、底面板１３と、外側板状体１６と、外側板状体１８とによって形成される空間である。また、内側梱包部材１０に収納された、被梱包物の図１の上方向への移動は、折り曲げ部２５及び２６（図２参照）によって規制される。
【００３４】
図４は、内側梱包部材１０を外側梱包部材３０に収納した状態を示す斜視図である。図４に示すように、内側梱包部材１０は、底面板１３を下に向けた状態で、外側梱包部材３０に収納される。
【００３５】
図４の右上部分において、突き出し板２０ａ及び２０ｂの切欠き２２と内壁９３ｂとが嵌合し、内壁９３ｂの切欠き３１ａ及び３１ｂと突き出し板２０ａ及び２０ｂとがそれぞれ嵌合している。また、図４の左下部分において、突き出し板２１ａ及び２１ｂの切欠き２２と内壁９４ｂとが嵌合し、内壁９４ｂの切欠き３２ａ及び３２ｂと突き出し板２１ａ及び２１ｂとがそれぞれ嵌合している。
【００３６】
このように、内側梱包部材１０は、外側梱包部材３０に対して固定された状態で収納される。このため、外側梱包部材３０の上面板９１と側面板９２とで形成された開閉蓋を開けた際に、側面板９２が内側梱包部材１０を支えない状態となっても、内側梱包部材１０は、従来の梱包部材より、外側梱包部材３０から滑り落ちにくくなる。したがって、外側梱包部材３０の開閉蓋を開けた際に、内側梱包部材１０が滑り落ちることによる被梱包物の破損を防ぐことができる。
【００３７】
（実施の形態２）
図５は、本発明の実施の形態２に係る梱包部材の内側梱包部材の斜視図である。図５に示す内側梱包部材４０は、上面が開放された細長い箱状の形状であり、正面板１１と、背面板１２と、底面板１３と、図５の右上部分の端部を形成する右端部４１と、図５の左下部分の端部を形成する左端部４２と、右端部４１から長手方向外側に突き出した突き出し部２０と、左端部４２から長手方向外側に突き出した突き出し部２１を有する。
【００３８】
本実施の形態の梱包部材が、実施の形態１の梱包部材と異なる点は、内側梱包部材４０において、正面板１１の両端部が突き出し板２０ａ及び２１ａとして形成されている点、背面板１２の両端部が突き出し板２０ｂ及び２１ｂとして形成されている点、右端部１４に代えて右端部４１を有する点、及び左端部１５に代えて左端部４２を有する点である。
【００３９】
以下の説明において、実施の形態１と同一の構成要素については、同じ参照符号を付してその説明を省略し、上記の相違点を中心に説明する。
【００４０】
まず、右端部４１と左端部４２とについて説明する。
【００４１】
図５の右上部分に示す右端部４１は、図５の矢印Ｂ方向から見ると、図５の下方向が開口したコの字形の形状である。右端部４１は、板状の部材である互いに対向配置された長手方向の外側に位置する外側板状体４３と、内側に位置する内側板状体１７と、折り曲げ部２５（図２参照）とを有する。外側板状体４３には、図５の上下方向に細長い貫通孔が二つ形成されており、図５の右上部分の手前側及び奥側に、貫通孔４３ａ及び４３ｂがそれぞれ形成されている。また、左端部４２は、右端部４１と同様に、外側板状体４４と、内側板状体１９と、折り曲げ部２６（図２参照）とを有する。外側板状体４４には、外側板状体４３と同様に、図５の左下部分の手前側及び奥側に、貫通孔４４ａ及び４４ｂがそれぞれ形成されている。
【００４２】
なお、内側板状体１７（１９）と、折り曲げ部２５（２６）とが協働して正面板１１及び背面板１２の幅方向への移動を規制している点は、実施の形態１の内側梱包部材１０（図１参照）と同じである。
【００４３】
次に、正面板１１と背面板１２とについて説明する。
【００４４】
正面板１１は、その両端が突き出し板２０ａ及び２１ａとして形成されており、外側板状体４３の貫通孔４３ａと、外側板状体４４の貫通孔４４ａとを貫通している。背面板１２は、その両端が突き出し板２０ｂ及び２１ｂとして形成されており、外側板状体４３の貫通孔４３ｂと、外側板状体４４の貫通孔４４ｂとを貫通している。突き出し板２０ａ、２０ｂ、２１ａ及び２１ｂには、底辺の部分に、それぞれ切欠き４５が設けられている。正面板１１及び背面板１２が外側板状体４３及び４４に設けられた貫通孔を貫通することによって、正面板１１及び背面板１２の幅方向への移動を規制する機能が、実施の形態１の内側梱包部材１０（図１参照）に比べて強化されている。
【００４５】
このように、実施の形態１の梱包部材と比較して、内側梱包部材４０では、正面板１１及び背面板１２の幅方向への移動を規制する規制部の数が増加している。このため、内側梱包部材４０に落下等による衝撃が加わったとしても、正面板１１及び背面板１２には、たわんだりするなどの変形が起こりにくい。すなわち、内側梱包部材４０に衝撃が加わっても、複数の規制部に衝撃を分散することができる。したがって、内側梱包部材４０は、内側梱包部材１０よりも耐強度性を向上させることができる。
【００４６】
本実施の形態に係る梱包部材の外側梱包部材は、図３に示す外側梱包部材３０と同一であるため、説明を省略する。
【００４７】
以下に、本実施の形態に係る梱包部材による、被梱包物の梱包について図４を用いて説明する。なお、図４に示す切欠き２２は、切欠き４５（図５参照）に読み替える。
【００４８】
図４の右上部分において、突き出し板２０ａ及び２０ｂの切欠き４５と内壁９３ｂとが嵌合し、突き出し板２０ａ及び２０ｂと内壁９３ｂの切欠き３１ａ及び３１ｂとがそれぞれ嵌合している。また、図４の左下部分において、突き出し板２１ａ及び２１ｂの切欠き４５と内壁９４ｂとが嵌合し、突き出し板２１ａ及び２１ｂと内壁９４ｂの切欠き３２ａ及び３２ｂとがそれぞれ嵌合している。
【００４９】
このように、本実施の形態の梱包部材は、実施の形態１の梱包部材と同様に、内側梱包部材４０は、外側梱包部材３０に対して固定された状態で収納される。このため、外側梱包部材３０の開閉蓋を開けた際に、側面板９２が内側梱包部材４０を支えない状態となっても、従来の梱包部材より、内側梱包部材４０は、外側梱包部材３０から滑り落ちにくくなる。したがって、外側梱包部材３０の開閉蓋を開けた際に、内側梱包部材４０が滑り落ちることによる被梱包物の破損を防ぐことができる。
【００５０】
次に、内側梱包部材４０が外側梱包部材３０に収納された状態における、外側梱包部材３０の端部の状態について説明する。図６は、内側梱包部材４０が外側梱包部材３０に収納された状態における、外側梱包部材３０の端部９３の上面図である。図６に示すように、内側梱包部材４０が外側梱包部材３０に収納された状態において、突き出し板２０ａ及び２０ｂの先端が、外壁９３ａの内壁９３ｂ側の面に当接している。また、図示は省略しているが、外側梱包部材３０の端部９４においても、突き出し板２１ａ及び２１ｂの先端が、突き出し板２０ａ及び２０ｂと同様に、外壁９４ａの内壁９４ｂ側の面に当接している。このように、端部が突き出し板として形成された正面板１１及び背面板１２が、外側梱包部材３０の外壁９３ａ及び９４ａの内側に当接して、外側梱包部材３０の梁の役割を果たすため、本実施の形態の梱包部材は、実施の形態１の梱包部材と比較して、落下等による衝撃に対する耐強度性を向上させることができる。
【００５１】
なお、上記実施の形態において、突き出し板に切欠きが設けられているものとして説明したが、これに限らず、例えば、突き出し板に切欠きが設けられていなくてもよい。図７は、内側梱包部材４０（図５参照）の一変形例の斜視図である。図７に示す内側梱包部材４６は、突き出し板２０ａ、２０ｂ、２１ａ及び２１ｂに切欠きが設けられていない点が、内側梱包部材４０と異なる。図７に示す内側梱包部材４６が外側梱包部材３０に収納される場合、突き出し板２０ａ、２０ｂ、２１ａおよび２１ｂが、外側梱包部材３０の内壁の切欠きとそれぞれ嵌合する。このように、内側梱包部材の突き出し板に切欠きを設けない場合であっても、内側梱包部材は、外側梱包部材と嵌合して固定された状態で収納されるため、外側梱包部材の開閉蓋を開けた際に、被梱包物ごと内側梱包部材が滑り落ちることを防ぐことができる。
【００５２】
また、上記実施の形態において、内側梱包部材の両端側にそれぞれ設けられた突き出し板の数は、二個であるものとして説明したが、これに限らず、例えば、突き出し板の個数は、一個でもよい。図８は、内側梱包部材１０（図１参照）の一変形例の斜視図である。図８に示す内側梱包部材４７は、内側梱包部材１０と異なり、右端部１４及び左端部１５にそれぞれ突き出し板２０ａ及び２１ａがそれぞれ一個ずつ設けられている。この場合、外側梱包部材は、図９に示す外側梱包部材３５のように、内壁９３ｂ及び９４ｂにそれぞれ切欠き３１ａ及び３１ｂが一個ずつ設けられていればよい。このように、突き出し板の数が一個であっても、内側梱包部材４７は、外側梱包部材３０と嵌合して固定された状態で収納されるため、開閉蓋を開けた際に、被梱包物ごと内側梱包部材が滑り落ちることを防ぐことができる。すなわち、突き出し板の数と、外側梱包部材の内壁の切欠きの数とが対応していれば、突き出し板及び内壁の切欠きの数は、一個であっても二個以上であってもよい。
【００５３】
また、上記実施の形態において、突き出し部は、内側梱包部材の両端側に設けられているものとして説明したが、これに限らず、例えば、突き出し部は、内側梱包部材の両端のどちらか一方にのみ設けられていてもよい。図１０は、内側梱包部材４０（図５参照）の一変形例を示す図である。図１０に示す内側梱包部材４８は、内側梱包部材４０と異なり、図１０の右上部分に突き出し部２０が存在しない。図１０に示す内側梱包部材４８を用いる場合、外側梱包部材は、図１１に示す外側梱包部材３６のように、どちらか一方の端部の内壁に切欠きを設けていればよい。このような場合であっても、図１０に示す内側梱包部材４７の右端部１４は、図１１に示す外側梱包部材３６に嵌合した状態で収納されるため、開閉蓋を開けた際に、被梱包物ごと内側梱包部材が滑り落ちることを防ぐことができる。
【００５４】
また、上記実施の形態において、突き出し部は、内側梱包部材の両端面、正面板または背面板と一体的に形成されているものとして説明したが、突き出し部は、内側梱包部材と別の部品であってもよい。図１２は、内側梱包部材に取り付けるための突き出し板の一例を示す図である。図１２に示す突き出し板５０は、段ボールなどの板状の素材を用いて形成されている。突き出し板５０を、接着剤などを用いて、内側梱包部材の長手方向外側の端面に固定することによって、図１３に示す内側梱包部材４９のような、突き出し板５０を形成することができる。このような場合であっても、上記実施の形態と同様に、内側梱包部材４９は、外側梱包部材３０に嵌合して固定された状態で収納されるため、開閉蓋を開けた際に、被梱包物ごと内側梱包部材が滑り落ちることを防ぐことができる。
【００５５】
また、上記実施の形態において、切欠きを有する二個の突き出し板が内側梱包部材の両端に設けられているものとして説明したが、これに限らず、例えば、内側梱包部材の一方の端面に、切欠きを有しない突き出し板が一つだけ形成されていてもよい。図１４は、内側梱包部材１０（図１参照）の一変形例を示す図である。図１４に示す内側梱包部材５１は、図１４の左下部分に示すように、切り欠きを有しない突き出し板２１ａが、一つだけ外側板状体１８に設けられている。内側梱包部材５１は、例えば、図９に示すような外側梱包部材３５に収納される。このとき、突き出し板２１ａと内壁９４ｂの切欠き３２ａとが嵌合して収納される。この場合、図９に示す外側梱包部材３５には、どちらか一方の内壁に切欠きが１つ形成されていればよい。このように、内側梱包部材５１は、外側梱包部材に嵌合した状態で収納されるため、開閉蓋を開けた際に、被梱包物ごと内側梱包部材が簡単に滑り落ちてしまうことを防ぐことができる。
【００５６】
また、上記実施の形態において、正面板１１及び背面板１２の幅方向の内側への移動を規制するために、折り曲げ部２５及び２６（図２参照）を設けるものとして説明したが、これに限らず、例えば、図１５に示す内側梱包部材５２を用いてもよい。図１５は、内側梱包部材４０（図５参照）の一変形例を示す図である。図１５の右上部分に示す内側板状体１７において、中央部分に大きく切り欠かれた切欠き部１７０が形成されており、底縁部１７ｂの手前側及び奥側の角部に、小さな切欠き部１７ｄ及び１７ｅが設けられている。切欠き部１７ｄと正面板１１とが嵌合し、切欠き部１７ｅと背面板１２とが嵌合することによって、正面板１１及び背面板１２の幅方向の移動を規制することができる。図１５に左下部分に示す内側板状体１９においても、同様に、切欠き部１９０と、底縁部１９ｂの手前側及び奥側の角部に小さな切欠き部１９ｄ及び１９ｅとが形成されている。
【００５７】
また、上記実施の形態において、内側梱包部材及び外側梱包部材の部品構成について言及していないが、例えば、内側梱包部材をダンボールなどの板状の素材を用いて一部材で形成してもよいし、右端部１４及び左端部１５などを、別の部品とすることによって、内側梱包部材を複数の部品で形成してもよい。
【００５８】
また、上記実施の形態において、上面板９１及び側面板９２が一体となって開閉蓋を構成する外側梱包部材を用いるものとして説明したが、上面板９１のみが開閉蓋を構成する外側梱包部材を用いてもよいことは言うまでもない。
【産業上の利用可能性】
【００５９】
本発明に係る梱包部材は、外側梱包部材の開閉蓋を開けた際に、外側梱包部材から内側梱包部材が滑り落ちにくい、梱包部材を提供することができ、部品や完成品などの被梱包物を梱包する梱包部材等として有用である。
【図面の簡単な説明】
【００６０】
【図１】本発明の実施の形態１に係る実施の形態１に係る梱包部材の内側梱包部材の斜視図
【図２】本発明の実施の形態１に係る内側梱包部材１０のＡ−Ａ断面における右端部１４の拡大図
【図３】本発明の実施の形態１に係る梱包部材の外側梱包部材の斜視図
【図４】本発明の実施の形態１に係る内側梱包部材１０を収納した外側梱包部材３０の斜視図
【図５】本発明の実施の形態２に係る梱包部材の内側梱包部材の斜視図
【図６】本発明の実施の形態２に係る内側梱包部材４０を収納した外側梱包部材３０の端部９３付近の上面図
【図７】本発明の実施の形態２に係る内側梱包部材４０の一変形例の斜視図
【図８】本発明の実施の形態１に係る内側梱包部材１０の一変形例の斜視図
【図９】本発明の実施の形態１に係る外側梱包部材３０の一変形例の斜視図
【図１０】本発明の実施の形態２に係る内側梱包部材４０の一変形例の斜視図
【図１１】本発明の実施の形態１に係る外側梱包部材３０の一変形例の斜視図
【図１２】本発明の実施の形態２に係る内側梱包部材に取り付ける突き出し板の一例を示す図
【図１３】本発明の実施の形態１に係る内側梱包部材１０の一変形例の斜視図
【図１４】本発明の実施の形態１に係る内側梱包部材１０の一変形例の斜視図
【図１５】本発明の実施の形態２に係る内側梱包部材４０の一変形例の斜視図
【図１６】従来の内側梱包部材の斜視図
【図１７】従来の外側梱包部材の斜視図
【符号の説明】
【００６１】
１０、４０、４６、４７、４８、４９、５１、５２  内側梱包部材
１１  正面板
１２  背面板
１３  底面板
１４、４１  右端部
１５、４２  左端部
１６、１８、４３、４４  外側板状体
１７、１９  内側板状体
１７ａ、１９ａ  開口部
１７ｂ、１９ｂ  底縁部
１７ｃ、１９ｃ  内側縁部
１７ｄ、１７ｅ、１９ｄ、１９ｅ、１７０、１９０  切欠き部
２０、２１  突き出し部
２０ａ、２０ｂ、２１ａ、２１ｂ、５０  突き出し板
２２、３１ａ、３１ｂ、３２ａ、３２ｂ、４５  切欠き
２５、２６  折り曲げ部
３０、３５、３６  外側梱包部材
４３ａ、４３ｂ、４４ａ、４４ｂ  貫通孔
９１  上面
９２  側面
９３ａ、９４ａ  外壁
９３ｂ、９４ｂ  内壁
【図１】
2008105723.tif 000003
【図２】
2008105723.tif 000004
【図３】
2008105723.tif 000005
【図４】
2008105723.tif 000006
【図５】
2008105723.tif 000007
【図６】
2008105723.tif 000008
【図７】
2008105723.tif 000009
【図８】
2008105723.tif 000010
【図９】
2008105723.tif 000011
【図１０】
2008105723.tif 000012
【図１１】
2008105723.tif 000013
【図１２】
2008105723.tif 000014
【図１３】
2008105723.tif 000015
【図１４】
2008105723.tif 000016
【図１５】
2008105723.tif 000017
【図１６】
2008105723.tif 000018
【図１７】
2008105723.tif 000019